(57)【要約】【課題】室内により大きな気体揚程を提供し、より広い空間範囲の室内空気を清浄又は交換可能な複合式空気調整システムを提供する。【解決手段】複合式空気調整システムは、空気調整機、空気浄化機及び全熱交換機を統合し、空気調整機と組み合わされた空気浄化機又は／及び全熱交換機を、制御モジュールにより独立動作又は共同動作が選択されるように制御することが可能である。【選択図】図６
2017090031.tif 000002
【特許請求の範囲】
【請求項１】
第１吹出位置と、第２吹出位置とを有する複合式空気調整システムであって、
空気調整機と、空気浄化機と、制御モジュールと、を含み、
前記空気調整機は、その内部にそれぞれ連通する第１吸気位置及び第２吸気位置と、その内部を通過するとともに前記第１吹出位置に対応するように設けられる排気位置とを有し、
前記空気浄化機は、その内部に連通する吸気位置と、その内部に連通する排気位置とを有し、
前記制御モジュールは、第１経路及び第２経路のいずれかを選択することにより、前記空気浄化機の排気位置が、前記第１経路を通過して前記空気調整機の第２吸気位置に連通し、又は前記第２経路を通過して前記第２吹出位置に対応するように制御することを特徴とする複合式空気調整システム。
【請求項２】
前記空気調整機は、冷暖房機であることを特徴とする請求項１に記載の複合式空気調整システム。
【請求項３】
前記空気調整機は、前記空気浄化機の下方、上方又は側方に設けられることを特徴とする請求項１に記載の複合式空気調整システム。
【請求項４】
前記空気浄化機の排気位置と前記空気調整機の第２吸気位置との間には、分岐された連通管が設けられ、
前記第１経路及び前記第２経路は、それぞれ、前記連通管の分岐した２つの管部に位置することを特徴とする請求項１に記載の複合式空気調整システム。
【請求項５】
前記連通管内には、前記制御モジュールにより制御され、前記第１経路と前記第２経路との間に揺動可能な制御弁が設けられることを特徴とする請求項４に記載の複合式空気調整システム。
【請求項６】
第１吹出位置と、第２吹出位置とを有する複合式空気調整システムであって、
空気調整機と、全熱交換機と、制御モジュールと、を含み、
前記空気調整機は、その内部に連通する第１吸気位置及び第２吸気位置と、その内部を通過するとともに前記第１吹出位置に対応するように設けられる排気位置とを有し、
前記全熱交換機は、その内部に連通する第１吸気位置及び第２吸気位置と、その内部を通過する排気位置とを有し、
前記制御モジュールは、第１経路及び第２経路のいずれかを選択することにより、前記全熱交換機の排気位置が、前記第１経路を通過して前記空気調整機の第２吸気位置に連通し、又は前記第２経路を通過して前記第２吹出位置に対応するように制御することを特徴とする複合式空気調整システム。
【請求項７】
前記空気調整機は、冷暖房機であることを特徴とする請求項６に記載の複合式空気調整システム。
【請求項８】
前記全熱交換機は、前記空気調整機の下方、上方又は側方に設けられることを特徴とする請求項６に記載の複合式空気調整システム。
【請求項９】
前記全熱交換機の排気位置と前記空気調整機の第２吸気位置との間には、分岐された連通管が設けられ、
前記第１経路及び前記第２経路は、それぞれ、前記連通管の分岐した２つの管部に位置することを特徴とする請求項６に記載の複合式空気調整システム。
【請求項１０】
前記連通管内には、前記制御モジュールにより制御され、前記第１経路と前記第２経路との間に揺動可能な制御弁が設けられることを特徴とする請求項９に記載の複合式空気調整システム。
【請求項１１】
第１吹出位置と、第２吹出位置と、第３吹出位置とを有する複合式空気調整システムであって、
空気調整機と、空気浄化機と、全熱交換機と、制御モジュールと、を含み、
前記空気調整機は、その内部にそれぞれ連通する第１吸気位置及び第２吸気位置と、その内部を通過するとともに前記第１吹出位置に対応するように設けられる排気位置とを有し、
前記空気浄化機は、その内部に連通する吸気位置と、その内部に連通する排気位置とを有し、
前記全熱交換機は、その内部にそれぞれ連通する第１吸気位置及び第２吸気位置と、内部を通過する排気位置とを有し、
前記制御モジュールは、第１制御弁と、第２制御弁とを有し、
前記第１制御弁は、第１経路及び第２経路のいずれかを選択することにより、前記空気浄化機の排気位置が、前記第１経路を通過して前記空気調整機の第２吸気位置に連通し、又は前記第２経路を通過して前記第２吹出位置に対応するように制御し、
前記第２制御弁は、第３経路及び第４経路のいずれかを選択することにより、前記全熱交換機の排気位置が、前記第３経路を通過して前記空気調整機の第２吸気位置に連通し、又は前記第４経路を通過して前記第３吹出位置に対応するように制御することを特徴とする複合式空気調整システム。
【請求項１２】
前記空気調整機は、冷暖房機であることを特徴とする請求項１１に記載の複合式空気調整システム。
【請求項１３】
前記空気調整機及び前記全熱交換機は、前記空気浄化機の下方、上方又は側方に並列されて設けられることを特徴とする請求項１１に記載の複合式空気調整システム。
【請求項１４】
前記空気浄化機の排気位置と前記空気調整機の第２吸気位置との間には、分岐された連通管が設けられ、
前記第１経路及び前記第２経路は、それぞれ、前記連通管の分岐した２つの管部に位置することを特徴とする請求項１１に記載の複合式空気調整システム。
【請求項１５】
前記全熱交換機の排気位置と前記空気調整機の第２吸気位置との間には、分岐された連通管が設けられ、前記第３経路及び前記第４経路は、それぞれ、前記連通管の分岐した２つの管部に位置することを特徴とする請求項１１に記載の複合式空気調整システム。
【発明の詳細な説明】
【技術分野】
【０００１】
本発明は、空調設備に関し、特に、空気調整機、空気浄化機及び全熱交換機を統合する複合式空気調整システムに関する。
【背景技術】
【０００２】
従来の空調設備（例えば、冷暖房機、空気浄化機又は全熱交換機など）は、空気を空調設備中に吸込むことにより、室内空気の調整効果をもたらす。
【発明の概要】
【発明が解決しようとする課題】
【０００３】
しかしながら、室内空気質（例えば、温度、湿度又は二酸化炭素など）を処理する際に、単一設備によって独立した機能しか果さない市販製品が多い。例えば、冷暖房機及び全熱交換機は、それぞれ、同一室内において稼働する独立した設備であり、また、冷暖房機及び空気浄化機は、それぞれ、同一室内において稼働する独立した設備である。したがって、従来の空調設備は、統合されておらず、それぞれ独立して稼動するようになっているため、エネルギーの消耗及び浪費の増大を招くうえ、余計なスペースを占めるという問題があった。
【０００４】
また、ろ過機能を有すると主張する市販の冷暖房機及び全熱交換機があるが、その多くは、単にフィルタなどのろ過材が追加されたものである。実際に、清浄機の清浄機能、例えば、臭気や有害ガスを効果的に吸着することを達成するためには、独立した清浄機が採用するＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）、活性炭、紫外線、光触媒、ナノ銀イオンなどの方式を採用する必要がある。そのため、既存の設備は、浄化の目的を達成するために、モータの追加やモータのパワーを増大させる必要があった。このような場合、エネルギーの浪費が生じてしまい、本末転倒である。しかも、主張するろ過機能を十分に果たすことができない。
【０００５】
本発明者は、上記欠点を解消するため、慎重に研究し、また、学理を活用して、有効に上記欠点を解消することができ、設計が合理的な本発明を提案する。
【０００６】
本発明の主な目的は、空気調整機、空気浄化機及び全熱交換機を統合し、空気浄化機又は全熱交換機と組み合わされた空気調整機の動作中に生じる負圧により、空気浄化機又は全熱交換機がより大きい出力の風量を得ることが可能で、且つ、室内により大きな気体揚程（単位流体を吐出する距離）を提供し、より広い空間範囲の室内空気を清浄又は交換することが可能な複合式空気調整システムを提供することにある。
【０００７】
本発明の他の目的は、上述した揚程の向上及びより広い空間範囲の室内空気を清浄又は交換することができるとともに、エネルギーの消費を増加させないことが可能な複合式空気調整システム、又は、揚程及び清浄又は交換できる空間範囲が同じである場合に、消費するエネルギーを相対的に少なくすることができ、省エネルギー化を図ることが可能な複合式空気調整システムを提供することにある。
【課題を解決するための手段】
【０００８】
上記目的を達成するため、本発明に係る複合式空気調整システムは、第１吹出位置と、第２吹出位置とを有し、空気調整機と、空気浄化機と、制御モジュールと、を含む。空気調整機は、その内部にそれぞれ連通する第１吸気位置及び第２吸気位置と、その内部を通過するとともに第１吹出位置に対応するように設けられる排気位置とを有する。空気浄化機は、その内部に連通する吸気位置と、その内部に連通する排気位置とを有する。制御モジュールは、第１経路及び第２経路のいずれかを選択することにより、空気浄化機の排気位置が、第１経路を通過して空気調整機の第２吸気位置に連通し、又は第２経路を通過して第２吹出位置に対応するように制御する。
【０００９】
上記目的を達成するため、本発明に係る複合式空気調整システムは、第１吹出位置と、第２吹出位置とを有し、空気調整機と、全熱交換機と、制御モジュールと、を含む。空気調整機は、その内部に連通する第１吸気位置及び第２吸気位置と、その内部を通過するとともに第１吹出位置に対応するように設けられる排気位置とを有する。全熱交換機は、その内部に連通する第１吸気位置及び第２吸気位置と、その内部を通過する排気位置とを有する。制御モジュールは、第１経路及び第２経路のいずれかを選択することにより、全熱交換機の排気位置が、第１経路を通過して空気調整機の第２吸気位置に連通し、又は第２経路を通過して第２吹出位置に対応するように制御する。
【００１０】
上記目的を達成するため、本発明に係る複合式空気調整システムは、第１吹出位置と、第２吹出位置と、第３吹出位置とを有し、空気調整機と、空気浄化機と、全熱交換機と、制御モジュールと、を含む。空気調整機は、その内部にそれぞれ連通する第１吸気位置及び第２吸気位置と、その内部を通過するとともに第１吹出位置に対応するように設けられる排気位置とを有する。空気浄化機は、その内部に連通する吸気位置と、その内部に連通する排気位置とを有する。全熱交換機は、その内部にそれぞれ連通する第１吸気位置及び第２吸気位置と、内部を通過する排気位置とを有する。制御モジュールは、第１制御弁と、第２制御弁とを有する。第１制御弁は、第１経路及び第２経路のいずれかを選択することにより、空気浄化機の排気位置が、第１経路を通過して空気調整機の第２吸気位置に連通し、又は第２経路を通過して第２吹出位置に対応するように制御する。第２制御弁は、第３経路及び第４経路のいずれかを選択することにより、全熱交換機の排気位置が、第３経路を通過して空気調整機の第２吸気位置に連通し、又は第４経路を通過して第３吹出位置に対応するように制御する。
【図面の簡単な説明】
【００１１】
【図１】本発明に係る第１実施例のシステムを示すブロック図である。
【図２】本発明に係る第１実施例の空気調整機及び空気浄化機を示す概略構造図である。
【図３】本発明に係る第２実施例のシステムを示すブロック図である。
【図４】本発明に係る第２実施例の空気調整機及び全熱交換機を示す概略構造図である。
【図５】本発明に係る第３実施例のシステムを示すブロック図である。
【図６】本発明に係る第３実施例の空気調整機、空気浄化機及び全熱交換機を示す概略構造図である。
【発明を実施するための形態】
【００１２】
本発明の詳細な説明及び技術内容について、図面を参照して以下に説明するが、図面は、ただ参考及び説明に用いるのみであり、本発明に制限を加えるものではない。
【００１３】
本発明は、空気調整機１１０、空気浄化機１２０及び全熱交換機１３０を統合するために用いられる複合式空気調整システム（以下、「空気調整システム」と称する）１００を提供する。本発明の複合式空気調整システム１００は、空気浄化機１２０又は全熱交換機１３０と組み合わされた空気調整機１１０の動作中に生じる負圧により、空気浄化機１２０又は全熱交換機１３０がより大きい出力の風量を得ることが可能で、且つ、室内により大きな気体揚程を提供し、より広い空間範囲の室内空気を清浄又は交換することができるとともに、省エネルギー化を図ることができる。
【００１４】
図１は、本発明に係る第１実施例のシステムを示すブロック図である。図２は、本発明に係る第１実施例の空気調整機及び空気浄化機を示す概略構造図である。図１及び図２に示すように、本実施例において、空気調整システム１００は、第１吹出位置１０１と、第２吹出位置１０２とを有し、空気調整機１１０と、空気浄化機１２０と、制御モジュール２００と、を含んでいる。
【００１５】
ここで、空気調整機１１０は、冷暖房機であり、温度調節機能を少なくとも備え、さらに、空気の湿度を調節することができてもよい。空気調整機１１０には、空気調整機１１０の内部に連通する第１吸気位置１１１及び第２吸気位置１１２と、空気調整機１１０の内部を通過する排気位置１１３とが設けられている。一般に、第１吸気位置１１１は、室内に連通されている。第２吸気位置１１２は、空気浄化機１２０に対応するように、空気調整システム１００の内部に配置されている。排気位置１１３は、空気調整機１１０により生成された冷暖空気が第１吹出位置１０１を介して室内に送られるように、室内に向かうとともに空気調整システム１００の第１吹出位置１０１に対応している。
【００１６】
空気浄化機１２０は、空気をろ過又は清浄する機能を有し、空気浄化機１２０の内部に連通する吸気位置１２１と、空気浄化機１２０の内部に連通する排気位置１２２とを有している。本実施例において、空気浄化機１２０は、空気調整機１１０の下方に設けられることが好ましい。これにより、空気浄化機１２０により生成された新しい空気を、空気調整機１１０又は空気調整システム１００の第２吹出位置１０２に向けて送られることができる。本実施例において、空気浄化機１２０は、空気調整機１１０の下方に設けられるが、これに限定されない。空気浄化機１２０の筐体が立方体又は直方体形状である場合、空気調整機１１０は、空気浄化機１２０の周囲の位置、例えば側方、上方又は下方に設けられてもよい。
【００１７】
制御モジュール２００は、空気調整機１１０と空気浄化機１２０との間の連動関係を制御するために用いられる。換言すれば、本実施例において、空気調整機１１０と空気浄化機１２０とが統合されたとしても、独立した動作を行う機能を維持することが可能である。つまり、制御モジュール２００は、第１経路２０１及び第２経路２０２のいずれかを選択することにより、空気浄化機１２０の排気位置１２２が第１経路２０１を通過して空気調整機１１０の第２吸気位置１１２に連通するか、又は、空気浄化機１２０の排気位置１２２が第２経路２０２を通過して空気調整システム１００の第２吹出位置１０２に対応するように制御することが可能である。より詳しくは、空気浄化機１２０の排気位置１２２と空気調整機１１０の第２吸気位置１１２との間には、分岐された連通管２０３が設けられ、第１経路２０１及び第２経路２０２は、それぞれ、連通管２０３の分岐した２つの管部に位置している。また、連通管２０３内には、制御モジュール２００により制御され、第１経路２０１と第２経路２０２との間に揺動可能な制御弁２０４が設けられている。制御弁２０４の揺動により、閉塞される経路を選択し、選択されない経路が開通ようになっている。
【００１８】
このようにして、図２に示すように、室内温度を調整しようとする場合、空気調整機１１０を起動し、室内空気が第１吸気位置１１１から空気調整機１１０の内部に進入して、空気調整機１１０により生成された冷暖空気が、排気位置１１３を介して空気調整システム１００の第１吹出位置１０１から送られる。即ち、図２に示す矢印方向Ｆ１から矢印方向Ｆ２までの流れのように送られることにより、室内温度を下げることができる。
一方、室内空気を清浄しようとする場合、制御モジュール２００は、制御弁２０４を位置Ｐ１まで揺動させることにより、第１経路２０１を閉塞する。このように、空気浄化機１２０を起動し、室内空気が空気浄化機１２０の吸気位置１２１から空気浄化機１２０の内部に進入して、空気浄化機１２０により清浄されたきれいな空気が、排気位置１２２を介して第２経路２０２から空気調整システム１００の第２吹出位置１０２から送られる。即ち、図２に示す矢印方向Ｆ３から矢印方向Ｆ４を経て矢印方向Ｆ５までの流れのように送られることにより、室内空気を清浄することができる。
一方、室内温度の調整及び室内空気の清浄を同時に行おうとする場合、制御モジュール２００は、制御弁２０４を位置Ｐ２まで揺動させることにより、第２経路２０２を閉塞する。起動された空気調整機１１０及び空気浄化機１２０は、同時に動作することができる。室内空気が空気浄化機１２０の吸気位置１２１から空気浄化機１２０の内部に進入して、空気浄化機１２０により清浄されたきれいな空気が、排気位置１２２を介して第１経路２０１から空気調整機１１０の第２吸気位置１１２に送られ、さらに、空気調整機１１０により温度の変更された清浄後の空気が、空気調整システム１００の第１吹出位置１０１から送られる。即ち、図２に示す矢印方向Ｆ３から矢印方向Ｆ６を経て矢印方向Ｆ２までの流れのように送られることにより、室内温度の調整及び室内空気の清浄を同時に行うことができ、空気調整機１１０は、より大きな気体揚程を有するとともに、より広い空間範囲の室内空気を清浄することが可能なため、省エネルギー化を図ることができる。
【００１９】
図３は、本発明に係る第２実施例のシステムを示すブロック図である。図４は、本発明に係る第２実施例の空気調整機及び全熱交換機を示す概略構造図である。図３及び図４に示すように、本実施例において、空気調整システム１００は、空気調整機１１０と制御モジュール２００とを備えるほか、全熱交換機１３０をさらに含んでいる。全熱交換機１３０は、室外の新鮮空気を室内に取り込むために用いられ、全熱交換機１３０の内部に連通する第１吸気位置１３１及び第２吸気位置１３２と、全熱交換機１３０内部を通過する排気位置１３３とを有している。本実施例において、全熱交換機１３０は、空気調整機１１０の下方に設けられることが好ましい。
これにより、全熱交換機１３０により室内に取り込んだ新鮮空気を、空気調整機１１０又は空気調整システム１００の第２吹出位置１０２に向けて送ることができる。また、制御モジュール２００は、全熱交換機１３０の排気位置１３３が第１経路２０１を通過して空気調整機１１０の第２吸気位置１１２に連通するか、又は、全熱交換機１３０の排気位置１３３が第２経路２０２を通過して空気調整システム１００の第２吹出位置１０２に対応するように制御する。
【００２０】
このようにして、図４に示すように、室内温度を調整しようとする場合、図４に示す矢印方向Ｆ１から矢印方向Ｆ２までの流れのように送られる。
一方、新鮮空気を室内に取り込もうとする場合、制御モジュール２００は、制御弁２０４を位置Ｐ１まで揺動させることにより、第１経路２０１を閉塞する。このように、全熱交換機１３０を起動し、室内空気が全熱交換機１３０の第１吸気位置１３１から全熱交換機１３０の内部に進入し、室外空気が全熱交換機１３０の第２吸気位置１３２から全熱交換機１３０の内部に進入し、全熱交換機１３０が交換を行うことにより、新鮮空気が排気位置１３３を介して第２経路２０２から空気調整システム１００の第２吹出位置１０２から送られる。即ち、図４に示す矢印方向Ｆ３から矢印方向Ｆ４を経て矢印方向Ｆ５までの流れのように送られることにより新鮮空気を室内に取り込むことができる。
一方、室内温度の調整及び新鮮空気の取り込みを同時に行おうとする場合、制御モジュール２００は、制御弁２０４を位置Ｐ２まで揺動させることにより、第２経路２０２を閉塞する。起動された空気調整機１１０及び全熱交換機１３０は、同時に動作することができる。室内空気及び室外空気が全熱交換機１３０の第１吸気位置１３１及び第２吸気位置１３２から全熱交換機１３０の内部に進入して、全熱交換機１３０により交換された新鮮空気が、排気位置１３３を介して第１経路２０１から空気調整機１１０の第２吸気位置１１２に送られ、さらに、空気調整機１１０により温度の変更された新鮮空気が、空気調整システム１００の第１吹出位置１０１から送られる。即ち、図４に示す矢印方向Ｆ３から矢印方向Ｆ６を経て矢印方向Ｆ２までの流れのように送られることにより、室内温度の調整及び新鮮空気の取り込みを同時に行うことができ、空気調整機１１０は、より大きな気体揚程を有するとともに、より広い空間範囲の室内空気を交換することが可能なため、省エネルギー化を図ることができる。
【００２１】
図５は、本発明に係る第３実施例のシステムを示すブロック図である。図６は、本発明に係る第３実施例の空気調整機、空気浄化機及び全熱交換機を示す概略構造図である。図５及び図６に示すように、本実施例において、空気調整システム１００は、空気調整機１１０、空気浄化機１２０及び全熱交換機１３０を統合する。また、空気調整システム１００は、空気浄化機１２０及び全熱交換機１３０が各別に正常な動作を行うことができるように、第３吹出位置１０３をさらに含んでいる。また、制御モジュール２００は、第１制御弁２１０及び第２制御弁２２０により構成されている。第１制御弁２１０は、第１経路２１１及び第２経路２１２のいずれかを選択することにより、空気浄化機１２０の排気位置１２２が第１経路２１１を通過して空気調整機１１０の第２吸気位置１１２に連通するか、又は、空気浄化機１２０の排気位置１２２が第２経路２１２を通過して空気調整システム１００の第２吹出位置１０２に対応するように制御する。第２制御弁２２０は、第３経路２２１及び第４経路２２２のいずれかを選択することにより、全熱交換機１３０の排気位置１３３が第３経路２２１を通過して空気調整機１１０の第２吸気位置１１２に連通するか、又は、全熱交換機１３０の排気位置１３３が第４経路２２２を通過して空気調整システム１００の第３吹出位置１０３に対応するように制御する。これにより、空気調整機１１０に対応する空気浄化機１２０及び全熱交換機１３０の独立又は共同動作を制御することができる。また、空気浄化機１２０及び全熱交換機１３０は、空気調整機１１０の下方に並列されて設けられることが好ましい。これにより、空気浄化機１２０により生成された新しい空気、及び全熱交換機１３０により室内に取り込んだ新鮮空気を、空気調整機１１０に向けて一緒に送ることができるか、又は、空気調整システム１００の第２吹出位置１０２及び第３吹出位置１０３のそれぞれに送ることができる。本実施例において、空気浄化機１２０及び全熱交換機１３０は、空気調整機１１０の下方に設けられるが、これに限定されない。空気浄化機１２０の筐体が立方体又は直方体形状である場合、空気調整機１１０及び全熱交換機１３０は、空気浄化機１２０の周囲の位置、例えば側方、上方又は下方に設けられてもよい。
【００２２】
こうして、図６に示すように、室内温度を調整しようとする場合、図６に示す矢印方向Ｆ１から矢印方向Ｆ２までの流れのように送られる。
一方、室内空気を清浄しようとする場合、制御モジュール２００は、第１制御弁２１０を位置Ｐ１まで揺動させることにより、第１経路２１１を閉塞する。このように、空気浄化機１２０を起動し、室内空気が空気浄化機１２０の吸気位置１２１から空気浄化機１２０の内部に進入して、空気浄化機１２０により清浄されたきれいな空気が、排気位置１２２を介して第２経路２１２から空気調整システム１００の第２吹出位置１０２に送られる。即ち、図６に示す矢印方向Ｆ３から矢印方向Ｆ４を経て矢印方向Ｆ５までの流れのように送られることにより、室内空気を清浄することができる。
一方、新鮮空気を室内に取り込もうとする場合、制御モジュール２００は、第２制御弁２２０を位置Ｐ３まで揺動させることにより、第３経路２２１を閉塞する。このように、全熱交換機１３０を起動し、室内空気が全熱交換機１３０の第１吸気位置１３１から全熱交換機１３０の内部に進入し、室外空気が全熱交換機１３０の第２吸気位置１３２から全熱交換機１３０の内部に進入し、全熱交換機１３０が交換を行うことにより、新鮮空気が排気位置１３３を介して第４経路２２２から空気調整システム１００の第３吹出位置１０３に送られる。即ち、図６に示す矢印方向Ｆ６から矢印方向Ｆ７，Ｆ８を経て矢印方向Ｆ９までの流れのように送られることにより、新鮮空気を室内に取り込むことができる。
一方、空気調整機１１０、空気浄化機１２０及び全熱交換機１３０を同時に起動しようとする場合、制御モジュール２００は、第１制御弁２１０を位置Ｐ２まで揺動させることにより、第２経路２１２を閉塞するとともに、第２制御弁２２０を位置Ｐ４まで揺動させることにより、第４経路２２２を閉塞する。起動された空気調整機１１０、空気浄化機１２０及び全熱交換機１３０は、同時に動作することができる。このように、空気浄化機１２０及び全熱交換機１３０により、空気がそれぞれ第１経路２１１及び第３経路２２１から空気調整機１１０の第２吸気位置１１２に送られ、さらに、空気調整機１１０により温度の変更された空気が、空気調整システム１００の第１吹出位置１０１から送られる。即ち、図６に示す矢印方向Ｆ３から矢印方向Ｆ１０を経て矢印方向Ｆ２までの流れ（即ち、空気浄化機１２０により提供された空気の流れ）、及び矢印方向Ｆ６，Ｆ７から矢印方向Ｆ１１を経て矢印方向Ｆ２までの流れ（即ち、全熱交換機１３０により提供された空気の流れ）のように送られることにより、室内温度の調整、室内空気の清浄及び新鮮空気の取り込みを同時に行うことができ、空気調整機１１０は、より大きな気体揚程を有するとともに、より広い空間範囲の室内空気を清浄及び交換することが可能なため、省エネルギー化を図ることができる。
【００２３】
上述した構造により、本発明の複合式空気調整システムが得られることができる。
【００２４】
要約すると、本発明は、従来技術の欠点を解決するという期待した使用目的を積極的に果たし得ることができ、新規性及び進歩性を大いに有し、発明の特許申請の要件と完全に一致しているため、本発明を出願する。本願を慎重に審査し、発明者の権利を保護するために特許を付与して頂きたい。
【００２５】
以上、本発明の好適な実施例を説明したが、本発明はこれらの実施例に限定されるものではない。また、本発明の内容を応用してなされる等価な変更は、すべて本発明の範囲に含まれることはいうまでもない。
【符号の説明】
【００２６】
１００  空気調整システム
１０１  第１吹出位置
１０２  第２吹出位置
１０３  第３吹出位置
１１０  空気調整機
１１１  第１吸気位置
１１２  第２吸気位置
１１３  排気位置
１２０  空気浄化機
１２１  吸気位置
１２２  排気位置
１３０  全熱交換機
１３１  第１吸気位置
１３２  第２吸気位置
１３３  排気位置
２００  制御モジュール
２０１  第１経路
２０２  第２経路
２０３  連通管
２０４  制御弁
２１０  第１制御弁
２１１  第１経路
２１２  第２経路
２２０  第２制御弁
２２１  第３経路
２２２  第４経路
Ｆ１〜Ｆ１１  矢印方向
Ｐ１〜Ｐ４  位置
【図１】
2017090031.tif 000003
【図２】
2017090031.tif 000004
【図３】
2017090031.tif 000005
【図４】
2017090031.tif 000006
【図５】
2017090031.tif 000007
【図６】
2017090031.tif 000008